(57)【要約】【課題】セキュリティ性が高く、真贋判定を容易に効率よく実施できる偽造防止部材、セキュリティ媒体及びセキュリティ媒体真贋判定方法を提供する。【解決手段】光の選択反射特性として円偏光性を有したコレステリック液晶を、パターン印刷した色彩可変材料層３２と、色彩可変材料層３２の下に、コードパターンを形成し、固有の磁気特性を有して所望の情報を磁気により記憶するアモルファス強磁性体材料により形成される強磁性体材料層３１とを備える。【選択図】図１
2007301941.tif 000002
【特許請求の範囲】
【請求項１】
光の選択反射特性を有する色彩可変材料層と、
前記色彩可変材料層の下に形成され、固有の磁気特性を有し、所望の情報を磁気により記憶する強磁性体材料層と、
を備える偽造防止部材。
【請求項２】
請求項１に記載の偽造防止部材において、
前記強磁性体材料層は、アモルファス強磁性体材料により形成されること、
を特徴とする偽造防止部材。
【請求項３】
請求項１又は請求項２に記載の偽造防止部材において、
前記色彩可変材料層の光の選択反射特性は、円偏光性であること、
を特徴とする偽造防止部材。
【請求項４】
請求項３に記載の偽造防止部材において、
前記色彩可変材料層は、コレステリック液晶により形成されること、
を特徴とする偽造防止部材。
【請求項５】
請求項１から請求項４までのいずれか１項に記載の偽造防止部材において、
前記強磁性体材料層は、コードパターンが形成されていること、
を特徴とする偽造防止部材。
【請求項６】
請求項１から請求項５までのいずれか１項に記載の偽造防止部材において、
前記色彩可変材料層は、パターン印刷により形成されること、
を特徴とする偽造防止部材。
【請求項７】
請求項１から請求項６までのいずれか１項に記載の偽造防止部材において、
前記色彩可変材料層の下に黒色印刷層を備えること、
を特徴とする偽造防止部材。
【請求項８】
請求項１から請求項７までのいずれか１項に記載の偽造防止部材において、
前記色彩可変材料層の上及び／又は下にホログラムを形成するホログラム形成層を備えること、
を特徴とする偽造防止部材。
【請求項９】
請求項１から請求項８までのいずれか１項に記載の偽造防止部材において、
前記強磁性体材料層の下に接着層を備えること、
を特徴とする偽造防止部材。
【請求項１０】
請求項９に記載の偽造防止部材と、
前記接着層は、熱圧着性のある接着剤であること、
を特徴とする偽造防止部材。
【請求項１１】
請求項１から請求項８までのいずれか１項に記載の偽造防止部材と、
前記偽造防止部材の少なくとも一部を表出させて抄き込んだシート状基材と、
を備えるセキュリティ媒体。
【請求項１２】
請求項９又は請求項１０に記載の偽造防止部材と、
前記偽造防止部材の前記接着層と貼り合わされるシート状基材と、
を備えるセキュリティ媒体。
【請求項１３】
請求項１１又は請求項１２に記載のセキュリティ媒体の前記色彩可変材料層を目視により真贋判定する目視判定工程と、
前記目視判定工程の結果に応じて、前記強磁性体材料層の所望の情報及び／又はコードパターンを前記セキュリティ媒体から読み出す磁気判定工程と、
を備えるセキュリティ媒体真贋判定方法。
【発明の詳細な説明】
【技術分野】
【０００１】
本発明は、偽造防止機能及び真贋判定機能を備えた偽造防止部材、セキュリティ媒体及びセキュリティ媒体真贋判定方法に関するものである。
【背景技術】
【０００２】
商品券、ギフト券などの金券は、その価値から偽造防止機能が必要とされており、基材（券）上にさまざまな対策が施されている（例えば、特許文献１）。
特許文献１は、真贋判定を容易に行なえるように、表面にホログラム層を備えた金券を開示している。このような金券は、真贋判定は容易に行なえるが、偽造対策としては完全ではなく、偽造難度の高い対策が必要とされている。
【特許文献１】特開平０７−２８５２８６号公報
【発明の開示】
【発明が解決しようとする課題】
【０００３】
本発明の課題は、セキュリティ性が高く、真贋判定を容易に効率よく実施できる偽造防止部材、セキュリティ媒体及びセキュリティ媒体真贋判定方法を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、光の選択反射特性を有する色彩可変材料層（３２）と、前記色彩可変材料層（３２）の下に形成され、固有の磁気特性を有し、所望の情報を磁気により記憶する強磁性体材料層（３１）とを備える偽造防止部材（３０）である。
【０００５】
請求項２の発明は、請求項１に記載の偽造防止部材（３０）において、前記強磁性体材料層（３１）は、アモルファス強磁性体材料により形成されることを特徴とする偽造防止部材（３０）である。
【０００６】
請求項３の発明は、請求項１又は請求項２に記載の偽造防止部材（３０）において、前記色彩可変材料層（３２）の光の選択反射特性は、円偏光性であることを特徴とする偽造防止部材（３０）である。
【０００７】
請求項４の発明は、請求項３に記載の偽造防止部材（３０）において、前記色彩可変材料層（３２）は、コレステリック液晶により形成されることを特徴とする偽造防止部材（３０）である。
【０００８】
請求項５の発明は、請求項１から請求項４までのいずれか１項に記載の偽造防止部材（３０）において、前記強磁性体材料層（３１）は、コードパターンが形成されていることを特徴とする偽造防止部材（３０）である。
【０００９】
請求項６の発明は、請求項１から請求項５までのいずれか１項に記載の偽造防止部材（３０）において、前記色彩可変材料層（３２）は、パターン印刷により形成されることを特徴とする偽造防止部材（３０）である。
【００１０】
請求項７の発明は、請求項１から請求項６までのいずれか１項に記載の偽造防止部材（３０）において、前記色彩可変材料層（３２）の下に黒色印刷層（３５）を備えることを特徴とする偽造防止部材（３０）である。
【００１１】
請求項８の発明は、請求項１から請求項７までのいずれか１項に記載の偽造防止部材（３０）において、前記色彩可変材料層（３２）の上及び／又は下にホログラムを形成するホログラム形成層（３４）を備えることを特徴とする偽造防止部材（３０）である。
【００１２】
請求項９の発明は、請求項１から請求項８までのいずれか１項に記載の偽造防止部材（３０）において、前記強磁性体材料層（３１）の下に接着層を備えることを特徴とする偽造防止部材（３０）である。
【００１３】
請求項１０の発明は、請求項９に記載の偽造防止部材（３０）と、前記接着層は、熱圧着性のある接着剤であることを特徴とする偽造防止部材（３０）である。
【００１４】
請求項１１の発明は、請求項１から請求項８までのいずれか１項に記載の偽造防止部材（３０）と、前記偽造防止部材（３０）の少なくとも一部を表出させて抄き込んだシート状基材（２０）とを備えるセキュリティ媒体（１０）である。
【００１５】
請求項１２の発明は、請求項９又は請求項１０に記載の偽造防止部材（３０）と、前記偽造防止部材（３０）の前記接着層と貼り合わされるシート状基材（２０）とを備えるセキュリティ媒体（１０）である。
【００１６】
請求項１３の発明は、請求項１１又は請求項１２に記載のセキュリティ媒体（１０）の前記色彩可変材料層（３２）を目視により真贋判定する目視判定工程と、前記目視判定工程の結果に応じて、前記強磁性体材料層（３１）の所望の情報及び／又はコードパターンを前記セキュリティ媒体（１０）から読み出す磁気判定工程とを備えるセキュリティ媒体真贋判定方法である。
【発明の効果】
【００１７】
以上説明したように、本発明によれば、以下のような効果がある。
（１）偽造防止部材は、色彩可変材料層及び強磁性体材料層を備えているので、簡易な道具を用いて目視の真贋判定が容易にでき、また、磁気により高度な真贋判定をすることができる。
（２）強磁性体材料層は、アモルファス強磁性体材料により形成されているので、アモルファス合金の磁化特性を活用して、セキュリティ性が高く所望の情報を記憶させることができる。
（３）色彩可変材料層の光の選択反射特性は、円偏光性であるので、簡易な方法で目視による真贋判定をすることができる。
【００１８】
（４）色彩可変材料層は、コレステリック液晶により形成されているので、円偏光性を備えた層を容易に形成することができる。
（５）強磁性体材料層は、コードパターンが形成されているので、必要な情報をコードパターンに記録させることができる。
（６）色彩可変材料層は、パターン印刷により形成されているので、容易に形成することができる。
（７）偽造防止部材は、色彩可変材料層の下に黒色印刷層を備えているので、色彩可変材料層の色彩を鮮明にすることができる。
【００１９】
（８）偽造防止部材は、色彩可変材料層の上及び／又は下にホログラム形成層を備えているので、道具を用いずに目視の真贋判定を行なうことができ、セキュリティ性を向上させることができる。
（９）セキュリティ媒体は、シート状基材に偽造防止部材を抄き込んでいるので、セキュリティ媒体の偽造を困難にすることができる。
（１０）偽造防止部材は、接着層を備えているので、容易にシート状基材に貼り付けることができ、セキュリティ媒体を形成することができる。
（１１）セキュリティ媒体真贋判定方法は、目視判定工程及び磁気判定工程を備えているので、セキュリティ媒体を、簡易な道具を用いて目視の真贋判定をして、その真贋判定により真と判定されたものに対して、更に磁気による真贋判定をすることができる。
【発明を実施するための最良の形態】
【００２０】
本発明は、セキュリティ性が高く、真贋判定を容易に効率よく実施できる偽造防止部材、セキュリティ媒体及びセキュリティ媒体真贋判定方法を提供するという目的を、色彩可変材料層の下に強磁性体材料層を設けることにより実現する。
【実施例】
【００２１】
以下、図面等を参照して、本発明の実施例をあげて、さらに詳しく説明する。
図１は、本発明による実施例のセキュリティ媒体を示す模式図であり、図１（Ａ）は、平面図、図１（Ｂ）は、図１のＡ−Ａ断面図、図１（Ｃ）は、図１（Ｂ）のＢ部の詳細図である。また、図２は、偽造防止スレッドのコレステリック液晶層を目視により真贋判定する方法を示す図であり、図２（Ａ）は偽造防止スレッドの拡大詳細図であり、図２（Ｂ）及び（Ｃ）は、コレステリック液晶層の真贋判定方法を示した図である。図３は、偽造防止スレッドのアモルファス強磁性体層を読み取る磁気ヘッドを示す図である。図４は、アモルファス合金材及びフェライト材のＢ−Ｈ磁化特性曲線を示す図である。
【００２２】
セキュリティ媒体１０は、図１に示すように、シート状基材２０に偽造防止スレッド３０を抄き込んだ偽造防止機能を備えた商品券（￥５，０００）である。
シート状基材２０は、上質紙で形成されたセキュリティ媒体１０の基材である。
偽造防止スレッド３０は、図１（Ｃ）に示すように、アモルファス強磁性体層３１、コレステリック液晶層３２、樹脂基材３３、ホログラム形成層３４、黒色印刷層３５及び保護層３６を備えたスレッドである（偽造防止部材）。
アモルファス強磁性体層３１は、真贋判定などに用いる情報を磁気データにして記憶するアモルファス合金材により形成された薄膜層である（強磁性体材料層）。また、デメタライズ法などによりコードパターンが形成されており、そのコードパターンにはセキュリティ媒体１０の金額（￥５，０００）の情報が記録されている。
【００２３】
アモルファス強磁性体層３１に用いられるアモルファス合金材は、加熱、切断などにより、透磁率や飽和磁化特性が変化する性質を有した磁性材料である。また、図４に示すように、磁性材として一般的なフェライト材の磁化特性と比較すると、フェライト材がＳ字型のヒステリシス曲線（Ｆｅ）を示すのに対し、アモルファス合金材は矩形のようなヒステリシス（Ａｍ）を示し、低強度の振動磁界により急峻に磁化反転を繰り返す性質（大バルクハウゼン現象）も有している。これらの性質を用いて、アモルファス強磁性体層３１に、真贋判定などに用いる情報を記憶し、また、読み出すことができる。更に、アモルファス合金材は、配合する材料を変化させることにより、性質を変更することができる。本実施例では、一般市場の入手が困難である材料を配合し、アモルファス強磁性体層３１の形成においても特殊な装置を必要とさせることにより、偽造防止の効果を高めている。
【００２４】
コレステリック液晶層３２は、見る角度によって色彩が可変する円偏光性を有したコレステリック液晶を、パターン印刷により印刷した層であり（色彩可変材料層）、本実施例では、図１（Ａ）に示すように、右円偏光性を持たせて偽造防止スレッド３０に文字列３２Ａ（ＳＥＣＵＲＩＴＹ）をパターン印刷している。
樹脂基材３３は、偽造防止スレッド３０の基材であり、ＰＥＴ（ポリエチレンテレフタレート）から形成されている厚さ１６μｍのシートである。
ホログラム形成層３４は、レーザ光線を使用して立体画像３４Ａを記録した層であり、光を当てることにより、立体画像３４Ａを再生することができ、目視による真贋判定を可能にしている。
黒色印刷層３５は、黒色インキで印刷された層であり、コレステリック液晶層３２の色彩を鮮明にするために設けられている。
保護層３６は、偽造防止スレッド３０の表面を保護する層である。
【００２５】
判定フィルム４０は、図２に示すように、左部に左円偏光性フィルム部４１を、右部に右円偏光性フィルム部４２を備えたセキュリティ媒体１０の真贋判定を目視により実施する判定具である。
左円偏光性フィルム部４１は、コレステリック液晶の左円偏光性を有した印刷のみを透過させるフィルムである。
右円偏光性フィルム部４２は、コレステリック液晶の右円偏光性を有した印刷のみを透過させるフィルムである。
【００２６】
磁気ヘッド５０は、図３に示すように、検出コイル部５１、励磁コイル部５２、制御部５３及び表示部５４を備えており、アモルファス強磁性体層３１の磁気データ及びパターンコードを読み取る検出器である。
検出コイル部５１は、アモルファス強磁性体層３１から発生する磁束の変化を検出するソレノイドコイル５１−Ａと、その検出データを増幅して出力する増幅器５１−Ｂとを備えている。
励磁コイル部５２は、アモルファス強磁性体層３１に交番励磁磁界を印加するソレノイドコイル５２−Ａと、ソレノイドコイル５２−Ａに交番励磁磁界を発生させる交番励磁電流を流すアンプ５２−Ｂとを備えている。
【００２７】
制御部５３は、励磁コイル部５２のソレノイドコイル５２−Ａに所定の交番励磁電流を流すための指令信号をアンプ５２−Ｂに出力し、アモルファス強磁性体層３１から発生する磁束の変化を検出した検出コイル部５１のソレノイドコイル５１−Ａの検出結果を増幅器５１−Ｂを介して入力する磁気ヘッド全体を統括制御する制御回路である。
表示部５４は、検出コイル部５１により検出した結果を、制御部５３を介して表示する表示モニタである。
【００２８】
次に、本実施例のコレステリック液晶層の真贋判定方法について説明する。
セキュリティ媒体１０の真贋判定者は、図２（Ｂ）に示すように、判定フィルム４０の左円偏光性フィルム部４１を偽造防止スレッド３０の文字列３２Ａにかざす。上述したように、文字列３２Ａは、右円偏光性のコレステリック液晶により印刷されているので、左円偏光性フィルム部４１には文字列３２Ａを透過させて目視することができない。一方、図２（Ｃ）に示すように、判定フィルム４０の右円偏光性フィルム部４２を文字列３２Ａ上にかざすと、両者が右円偏光性であるので、文字列３２Ａは右円偏光性フィルム部４２に透過して目視することができる。仮に、カラーコピーなどによりセキュリティ媒体が偽造された場合は、ホログラムもコピーされないだけでなく、判定フィルム４０の左及び右円偏光性フィルム部４１、４２の両方により、文字列３２Ａが目視できるので、容易に真贋判定を行なうことができる（目視判定工程）。
【００２９】
続いて、本実施例の磁気ヘッドによるセキュリティ媒体の読込方法について説明する。図５は、励磁コイル部及び検出コイル部の励磁及び検出データの一例を示す図である。図５（Ａ）は、励磁コイル部により発生する交番励磁磁界の時系列データを示す図であり、図５（Ｂ）は、交番励磁磁界によるアモルファス強磁性体層の磁束の変化を検出コイル部により検出した検出結果の時系列データを示す図である。
磁気ヘッド５０の制御部５３は、電源が投入されると、励磁コイル部５２のソレノイドコイル５２−Ａにアンプ５２−Ｂを介して高調波の交番励磁電流を流し、図４に示す限界磁界（Ｈｐ、−Ｈｐ）を超える交番励磁磁界を、図５（Ａ）に示すように、ソレノイドコイル５２−Ａに発生させる。
【００３０】
続いて、図３に示すように、セキュリティ媒体１０のアモルファス強磁性体層３１の側面に磁気ヘッド５０を近づけて、限界磁界（Ｈｐ、−Ｈｐ）を超える交番励磁磁界により大バルクハウゼン現象を起こさせ、アモルファス強磁性体層３１の磁束の変化を、図５（Ｂ）に示すように、検出コイル部５１のソレノイドコイル５１−Ａに検出させる。制御部５３は、検出した結果を増幅器５１−Ｂを介して入力し、表示部５４に表示する。
検出されたデータは、アモルファス強磁性体層３１に記録された真贋情報及び商品券の情報であり、仮に偽造されたセキュリティ媒体が混入していた場合は、その媒体の検出結果の表示は空欄となり、偽物であることを即座に判明させることができる。また、励磁コイル部５２のソレノイドコイル５２−Ａに流す励磁電流を大きくすることにより、非接触（最大約１０ｍｍ）でアモルファス強磁性体層３１の磁束を検出することができる（磁気判定工程）。
【００３１】
以上より、セキュリティ媒体１０は、２重のセキュリティを備えており、まず、判定フィルム４０を使用して真贋判定をして、その判定で真と判定されたものについて、更に磁気ヘッド５０を用いた真贋判定をすることができる。本実施例のようにセキュリティ媒体１０が商品券の場合は、例えば、商品券取り扱いの販売店に判定フィルム４０を配布しておいて、商品の会計のときに、判定フィルム４０により迅速かつ容易に真贋を判定することができ、集計時などに改めて磁気ヘッド５０による高度な真贋判定をすることができる。これにより、販売店のレジスタには、安価な判定フィルム４０を準備して、会計されたセキュリティ媒体１０が集められる集計所には磁気ヘッド５０を設置することにより、販売店の設備投資費用を低減させる効果が得られる。
【００３２】
以上より、本実施例の偽造防止スレッド、セキュリティ媒体又はその真贋判定方法には以下のような効果がある。
（１）偽造防止スレッド３０は、コレステリック液晶層３２及びアモルファス強磁性体層３１を備えているので、判定フィルム４０を用いて目視の真贋判定が容易にでき、また、磁気ヘッド５０により高度な真贋判定をすることができる。
（２）アモルファス強磁性体層３１は、コードパターンが形成されているので、セキュリティ媒体１０の情報（￥５，０００）をコードパターンに記録させることができる。
【００３３】
（３）コレステリック液晶層３２は、パターン印刷により形成されているので、容易に円偏光性を有した色彩可変材料層を形成することができる。
（４）偽造防止スレッド３０は、コレステリック液晶層３２の下に黒色印刷層３５を備えているので、コレステリック液晶層３２の文字列３２Ａの色彩を鮮明にすることができる。
（５）偽造防止スレッド３０は、コレステリック液晶層３２の下にホログラム形成層３４を備えているので、判定フィルム４０を用いずに目視の真贋判定を行なうことができ、セキュリティ性を向上させることができる。
【００３４】
（６）セキュリティ媒体１０は、シート状基材２０に偽造防止スレッド３０を抄き込んでいるので、セキュリティ媒体１０の偽造を困難にすることができ、商品券などの金券に活用することができる。
（７）判定フィルム４０及び磁気ヘッド５０は、セキュリティ媒体１０の真贋判定に用いられるので、セキュリティ媒体１０を、判定フィルム４０を用いて目視の真贋判定をして、その真贋判定により真と判定されたものに対して、更に磁気ヘッド５０による真贋判定をすることができる。
【００３５】
（変形例）
以上説明した実施例に限定されることなく、種々の変形や変更が可能であって、それらも本発明の均等の範囲内である。
（１）実施例では、偽造防止スレッド３０は、その全面がシート状基材２０から表出していたが、一部のみを表出させてもよい。例えば、コレステリック液晶層３２の文字列３２Ａやホログラム形成層３４の立体画像３４Ａを表示する場所のみを表出させることも可能である。
（２）実施例では、コレステリック液晶層３２の文字列３２は、右円偏光性のコレステリック液晶により印刷されたが、左円又は左右の円偏光性を混在させて印刷してもよい。
【００３６】
（３）実施例では、偽造防止スレッド３０は、シート状基材２０に１本のみ抄き込まれたが、複数本抄き込んでもよい。
（４）実施例では、コレステリック液晶層３２は、ホログラム形成層３４の上に形成されたが、ホログラム形成層３４の下に形成されていてもよい。
（５）実施例では、ホログラム形成層３２は、偽造防止スレッド３０に形成されたが、それ以外の場所に形成してもよい。例えば、シート状基材２０上の偽造防止スレッド３０以外の場所に形成することも可能である。
【００３７】
（６）実施例では、セキュリティ媒体１０は、偽造防止スレッド３０が抄き込まれていたが、それ以外の方法により偽造防止機能を備えてもよい。例えば、偽造防止スレッド３０と同様の層構成の最下層に接着層を設け、シート状基材２０に貼り合せることも可能である。接着層に熱圧着性のある接着剤（例えば、ヒートシール）を用いることで、再剥離を困難にしてセキュリティ性を向上させることも可能である。
（７）実施例では、セキュリティ媒体１０は、商品券であったが、それ以外のものに用いることも可能である。例えば、セキュリティ媒体１０を、粘着層を有したラベルにすることにより、純正品の模倣防止対策として、製品の本体又はそのパッケージに貼付して使用することも可能である。判定フィルム４０は、税関や販売店に配布しておき、流通における入出荷段階で迅速及び確実に真贋判定できるようにし、また、磁気ヘッド５０を用いた真贋判定は、最終段階の確認として製造元の関係者のみが真贋判定することができる。
【図面の簡単な説明】
【００３８】
【図１】本発明による実施例のセキュリティ媒体を示す模式図である。
【図２】本発明による実施例の偽造防止スレッドのコレステリック液晶層を目視により真贋判定する方法を示す図である。
【図３】本発明による実施例の偽造防止スレッドのアモルファス強磁性体層を読み取る磁気ヘッドを示す図である。
【図４】アモルファス合金材及びフェライト材のＢ−Ｈ磁化特性曲線を示す図である。
【図５】本発明による実施例の励磁コイル部及び検出コイル部の励磁及び検出データの一例を示す図である。
【符号の説明】
【００３９】
１０  セキュリティ媒体
２０  シート状基材
３０  偽造防止スレッド
３１  アモルファス強磁性体層
３２  コレステリック液晶層
３４  ホログラム形成層
３５  黒色印刷層
４０  判定フィルム
５０  磁気ヘッド
【図１】
2007301941.tif 000003
【図２】
2007301941.tif 000004
【図３】
2007301941.tif 000005
【図４】
2007301941.tif 000006
【図５】
2007301941.tif 000007